(57)【要約】
【課題】　光触媒を具えた暖房装置の提供。
【解決手段】　暖房装置の反射板に光触媒液がスプレー塗装され光触媒が触媒とされて化学反応を加速し、この化学反応が自身の構造を破壊せず、光触媒液が空気中の有害物質を分解、浄化し、これにより暖房装置が熱風を放出するときにその周囲の空気に対して強力な酸化と殺菌を行ない、良好な殺菌、除臭の機能を達成し、並びに環境中の空気をきれいで無菌の状態となす。
【選択図】　　　　図２
0003099295.tif 000002
【実用新案登録請求の範囲】
【請求項１】
　暖房装置の反射板に光触媒液がスプレー塗装されて暖房装置が熱風を放出すると同時にその周囲の空気に対して強力な酸化と殺菌を行ない、菌抑制、除臭の機能を達成して空気中のウイルスと細菌を死滅させて伝染疾病の流行を抑制することを特徴とする、光触媒を具えた暖房装置。
【考案の詳細な説明】
【技術分野】
【０００１】
　本考案は一種の光触媒を具えた暖房装置に係り、特に、空気中の有害物質の分解、除臭、空気浄化の機能を具えた暖房装置の設計に関する。
【背景技術】
【０００２】
　寒い季節に最も恐ろしいのは湿気であり、湿って冷たい気候は風呂上がりの子供に風邪をひかせ、且つ大量の水分を含む気候は、細菌や黴菌を発生させやすい。暖房装置は寒い季節に温かさを提供し、多くの水分を除去する。暖房装置の主要な構造は発熱器、温度コントロールスイッチ、タイマースイッチ及び電源スイッチを具えている。内部回路の運転方式は、電源線の導線が先に電源スイッチを経由し、さらにタイマースイッチに至り、その後、温度コントロールスイッチに連通し、最後に発熱体に接続されている。
　寒い時、人々は密閉空間中にこもりがちであり、統計によると、密閉空間中には千種類以上の発癌物質が含まれる。現在使用されている空気調和設備は有効に既存の汚染源、臭いを分解できず、ゆえに空気調和システムを使用する環境（例えば、オフィス、病因、カラオケボックス、レストラン等の公共の場所及び家庭）では流行性感冒のウイルスが急速に成長し伝染する。しかし伝統的な暖房装置は発熱構造体中の電熱手段が電気エネルギーを熱エネルギーに変換して使用者に暖を取らせるにすぎず、殺菌、除臭、菌抑制等の機能を具備していない。
【考案の開示】
【考案が解決しようとする課題】
【０００３】
　光触媒は理想的で、且つ無毒性の環境保護製品であり、その強大な水酸自由基の酸化能力により、光触媒は有害物質の酸化、抗菌、除臭、防黴、自浄と空気浄化の特性を具え、光触媒（二酸化チタン）が光或いは照明光源中の紫外線を吸収した後、その生成する水産自由基が空気中の有機物質と反応してそれを無毒の物質となす。脱臭の運用にあっては、光触媒は有機物質、有害ガスの分解を加速して空気清浄効率を高める。
【０００４】
　且つ二酸化チタンは良好な酸化能力を有し、空気中の浮遊細菌を殺し、ウイルスの活性を抑制する。二酸化チタンによる空気に対する清浄能力は９９．９９９％に達する。
【０００５】
　本考案の主要な目的は、光触媒を具えた暖房装置を提供することにあり、この暖房装置はその反射板に光触媒液が塗装されて良好な殺菌、菌抑制、除臭及び空気浄化の機能を具備し、これにより伝染病の流行を抑制する目的を達成するものとする。
【課題を解決するための手段】
【０００６】
　請求項１の考案は、暖房装置の反射板に光触媒液がスプレー塗装されて暖房装置が熱風を放出すると同時にその周囲の空気に対して強力な酸化と殺菌を行ない、菌抑制、除臭の機能を達成して空気中のウイルスと細菌を死滅させて伝染疾病の流行を抑制することを特徴とする、光触媒を具えた暖房装置としている。
【考案の効果】
【０００７】
　本考案は、光触媒を具えた暖房装置を提供し、この暖房装置はその反射板に光触媒液が塗装されて良好な殺菌、菌抑制、除臭及び空気浄化の機能を具備し、これにより伝染病の流行を抑制する目的を達成する。
【考案を実施するための最良の形態】
【０００８】
　本考案は一種の光触媒を具えた暖房装置を提供し、それは、暖房装置の反射板に光触媒液をスプレーして塗装する。光触媒液は触媒とされ、化学反応を加速させ、且つこの化学反応が自身の構造を破壊せず、光触媒液により空気中の有害物質を分解、浄化することができ、これにより暖房装置が熱風を放出すると同時にその周囲の空気に対して強力な酸化及び殺菌を行ない、良好な菌抑制、除臭の機能を達成し、並びに環境中の空気をきれいで無菌の状態となす。ゆえに本考案は大衆の必要に符合する製品である。
【実施例１】
【０００９】
　図１、２は本考案の暖房装置の斜視図及び立体分解図である。該暖房装置１はベース１０を具え、該ベース１０に温度、及び時間のコントロールつまみ１１が設けられ、ベース１０の上端に円弧状の反射板１２が設けられ、反射板１２の中央よりテーパ状の錐柱部が凸設され、円錐柱部の上端に発熱装置１３が設けられ、反射板１２に対応する保護網１４が反射板１２にロックされ、良好な保護効果を提供する。本考案の特徴は、該暖房装置１の反射板１２に光触媒液２がスプレー塗装され、暖房装置が熱風を放出する共に、その周囲の空気に対して強力な酸化と殺菌を行ない、良好な菌抑制、除臭の機能を達成し、有効に空気中のウイルスと細菌を消滅させ、確実に伝染病の流行を抑制することにある。
【００１０】
　使用者が暖房装置１を使用する時、暖房装置１の反射板１２の表層には一層の光触媒液２が塗装され、光触媒液２は触媒であり、化学反応を加速し、且つこの化学反応は自身の構造を破壊せず、光触媒液２は強力に臭いのもとを分解し、細菌を死滅させる能力を具え、ゆえに空気中の有害物質を分解し、臭い、例えばたばこの臭い、或いは異臭を除去し、空気を浄化する。本考案の暖房装置１は熱風を放出すると同時に、光触媒作用により暖房装置周囲の環境の空気に対して殺菌、菌抑制、除臭、浄化を行なう機能を有し、空気の品質を改善し、ＳＡＲＳ等の疾病が厳重となった状況にあって、確実に空気の品質を改善し、また暖房装置１自身の基本機能を失わない。ゆえに本考案は不可欠の保健構造設計であるといえる。
【００１１】
　総合すると、本考案は以下のような長所を有している。
　１．本考案の光触媒を具えた暖房装置は、光触媒液の有する臭いのもとを強力に分解し、殺菌する能力により、空気中の有害物質を分解し、臭いを除去例えばたばこの臭い、或いは異臭を除去し、空気を浄化する。
　２．本考案の光触媒を具えた暖房装置は、熱風を放出すると同時に、光触媒作用により暖房装置周囲の環境の空気に対して殺菌、菌抑制、除臭、浄化を行なう機能を有し、空気の品質を改善し、伝染病の流行を抑制し、高度の保健機能を有している。
【００１２】
　本考案の構造、特徴は確実に良好な使用効果の光触媒を具えた暖房装置を提供し、並びにそれは確実に実用価値と進歩性を有しており、その全体の組合せ及び空間形態は、周知の同類の製品中にはなく、その出願前に未公開であり、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１３】
【図１】本考案の暖房装置の斜視図である。
【図２】本考案の暖房装置の立体断面図である。
【符号の説明】
【００１４】
１　暖房装置　　　　　　　１０　ベース
１１　コントロールつまみ　１２　反射板
１３　発熱装置　　　　　　１４　保護網
２　光触媒液
【図１】
0003099295.tif 000003
【図２】
0003099295.tif 000004